(57)【要約】【課題】容器本体に収容される物品の高さ寸法に応じて蓋体の形態を変更可能とする包装容器を提供する。【解決手段】底板部２１の周囲に側板部を連設し、上方が開口する容器本体１２と、天板部６１の周囲に蓋側板部を連設し、容器本体１２に被せる蓋体１３と、からなる包装容器１１であって、蓋側板部は相対向する第一蓋側板部６２を有し、第一蓋側板部６２は、第一蓋外側板６３と、第一蓋内側板６４と、第一蓋内側板６４に第一折曲部８３を介してストッパ部６５とを有し、蓋体１３は、ストッパ部６５が第一蓋外側板６３に重なる第一形態と、ストッパ部６５が第一折曲部８３から蓋体内部方向に突出する第二形態とのいずれかの形態を選択可能に形成し、容器本体１１に第二形態の蓋体１３を被せた状態においては、ストッパ部６５と容器本体１２の側板部の上端とが当接する。【選択図】図６
0003220875.tif 000002
【実用新案登録請求の範囲】
【請求項１】
底板部の周囲に側板部を連設し、上方が開口する容器本体と、天板部の周囲に蓋側板部を連設し、前記容器本体に被せる蓋体と、からなる包装容器であって、前記蓋側板部は相対向する第一蓋側板部を有し、前記第一蓋側板部は、第一蓋外側板と、第一蓋内側板と、前記第一蓋内側板に第一折曲部を介してストッパ部とを有し、前記蓋体は、前記ストッパ部が前記第一蓋外側板に重なる第一形態と、前記ストッパ部が前記第一折曲部から蓋体内部方向に突出する第二形態とのいずれかの形態を選択可能に形成し、前記容器本体に前記第二形態の蓋体を被せた状態においては、前記ストッパ部と前記容器本体の側板部の上端とが当接することを特徴とする包装容器。
【請求項２】
前記ストッパ部の前記第一折曲部と対向する端縁に第二折曲部を形成し、前記第二折曲部を介して支持部を連設し、前記第一形態においては、前記ストッパ部が前記第一蓋外側板と重なるように配置し、前記第二形態においては、前記第一折曲部を折り曲げて前記ストッパ部が蓋体内部方向に突出するように配置し、前記第二折曲部を折り曲げて前記支持部が前記天板部又は前記第一蓋外側板の上辺部に突き当たるように配置することを特徴とする請求項１に記載する包装容器。
【請求項３】
前記蓋体を前記第一形態とした状態において前記第一蓋外側板の上辺部に近接する位置に、前記第二折曲部を形成することを特徴とする請求項２に記載する包装容器。
【請求項４】
前記支持部の前記第二折曲部と対向する端縁に第三折曲部を介して第一蓋重合板を連設することを特徴とする請求項２又は請求項３に記載する包装容器。
【請求項５】
前記蓋側板部は、前記第一蓋側板部に隣接する第二蓋側板部を有し、前記第二蓋側板部は、第二蓋外側板と第二蓋内側板と、前記第二蓋内側板の上辺部に折曲部を介して前記天板部に重なる第二蓋重合板とを有し、前記第二蓋内側板の上辺部の折曲部近傍に、第一係合受部と、前記第一係合受部から所定の距離を隔てた前記第一蓋内側板側に第二係合受部とを形成し、前記第一蓋重合板の側辺部に第一係合突部を形成し、前記第一形態においては前記第一係合突部を前記第一係合受部に係止して形態を保持し、前記第二形態においては前記第一係合突部を前記第二係合受部に係止して形態を保持することを特徴とする請求項４に記載する包装容器。
【請求項６】
前記第一蓋内側板の側辺部に第二係合突部を形成し、前記第二蓋内側板の側辺部近傍に第三係合受部を形成し、前記第二係合突部を前記第三係合受部に係止して、前記第一形態又は前記第二形態を保持することを特徴とする請求項５に記載する包装容器。
【考案の詳細な説明】
【技術分野】
【０００１】  本考案は、物品を収容する包装容器に関する。
【背景技術】
【０００２】  従来、容器本体と蓋体からなる包装容器であって、容器本体に収容する物品が容器本体の側板部よりも高い寸法であって側板部よりも突出するような場合には、蓋体の天板と収容した物品とが接触しないように、容器本体に被せる蓋体の側板内部に突起部分を設けて、この突起部分が容器本体の側板部上端と当接するように構成した包装容器が知られている。
このような包装容器では、例えば、底箱と、その底箱に被せる蓋箱とを組み立て形成し、その蓋箱の側壁を外板と内板とで構成して、その内板に蓋箱の天板の内面周辺部に重ねる帯状板を連設し、その天板内面の周辺部に配した帯状板において互いに垂直に交わる２辺部の帯状板の一方の端部に他方の帯状板の幅とほぼ同一長さの切欠部を設けてその切欠部に他方の帯状板の端部を嵌め込み可能になすとともに、その切欠部の縁に他方の帯状板に係止可能な爪片を突設し、また、蓋箱を底箱に被せた状態で底箱の側壁上縁部に当接する舌状片を蓋箱内部の隅角部に内板から斜めに折り曲げて形成するとともに、その舌状片の片側の側縁を上記の帯状板に接触状態にしたものが知られている（特許文献１参照）。【０００３】  しかしながら、このように構成した包装容器では、側板よりも低い寸法の物品の収容に使用する場合には、蓋箱を被せた状態では包装容器上部に大きな空間が生じて過大な包装となってしまう。このため、側板よりも低い収容物品にも兼用して使用することが困難であるという問題があった。【０００４】  上記問題を解決するため、例えば、蓋身式の方形の物品収容箱に用いられる嵌合量調整具が知られている。この嵌合量調整具は、蓋体の内側において互いに対向する内壁面間の距離に相当する長さに形成された架設体と、この架設体に支持された状態で同架設体における長手方向の端部側に同長手方向に直交する方向に張り出す張出体とで構成されており、蓋体の内側に取り付けることができるものである。そして、物品収容箱は、蓋体が収容本体上に被せられた場合には、嵌合量調整具における張出体が収容本体における壁部の上端部に接触することにより蓋体の内側の天井面が収容本体の壁部の上端部上から浮いた状態で位置決めされる。これにより、物品収容箱は、収容本体の壁部の上部よりも突出する被収容物であっても被収容物を圧迫することなく収容することができる。従って、この嵌合量調整具によれば、収容本体の深さを互いに高さが異なる複数種類の被収容物のうちで高さが相対的に低い被収容物に設定することができるため、物品収容箱の収容効率を向上させることができる（特許文献２参照）。【０００５】  しかしながら、この嵌合量調整具は、物品収容箱とは別体の部材を使用するため、費用も高額となる他、作成の手間を要し、保管スペースも必要となるといった問題がある。【０００６】
【先行技術文献】
【特許文献】
【０００７】
【特許文献１】特開２００２−９６８２６号公報
【特許文献２】特許第６０９１０９７号公報
【考案の開示】
【考案が解決しようとする課題】
【０００８】  本考案は前記課題に鑑みてなされたものであって、容器本体に収容される物品の高さ寸法に応じて蓋体の形態を変更可能とする包装容器の提供を課題とする。
【課題を解決するための手段】
【０００９】  本考案の解決しようとする課題は以上の如くであり、次にこの課題を解決するための手段を説明する。【００１０】  第１の考案では、底板部の周囲に側板部を連設し、上方が開口する容器本体と、天板部の周囲に蓋側板部を連設し、前記容器本体に被せる蓋体と、からなる包装容器であって、前記蓋側板部は相対向する第一蓋側板部を有し、前記第一蓋側板部は、第一蓋外側板と第一蓋内側板と、前記第一蓋内側板に第一折曲部を介してストッパ部とを有し、前記蓋体は、前記ストッパ部が前記第一蓋外側板に重なる第一形態と、前記ストッパ部が前記第一折曲部から蓋体内部方向に突出する第二形態とのいずれかの形態を選択可能に形成し、前記容器本体に前記第二形態の蓋体を被せた状態においては、前記ストッパ部と前記容器本体の側板部の上端とが当接することを特徴とする。【００１１】  第２の考案では、第１の考案であって、前記ストッパ部の前記第一折曲部と対向する端縁に第二折曲部を形成し、前記第二折曲部を介して支持部を連設し、前記第一形態においては、前記ストッパ部が前記第一蓋外側板と重なるように配置し、前記第二形態においては、前記第一折曲部を折り曲げて前記ストッパ部が蓋体内部方向に突出するように配置し、前記第二折曲部を折り曲げて前記支持部が前記天板部又は前記第一蓋外側板の上辺部に突き当たるように配置することを特徴とする。【００１２】  第３の考案では、第２の考案であって、前記蓋体を前記第一形態とした状態において前記第一蓋外側板の上辺部に近接する位置に、前記第二折曲部を形成することを特徴とする。【００１３】  第４の考案では、第２又は第３の考案であって、前記支持部の前記第二折曲部と対向する端縁に第三折曲部を介して第一蓋重合板を連設することを特徴とする。【００１４】  第５の考案では、第４の考案であって、前記蓋側板部は、前記第一蓋側板部に隣接する第二蓋側板部を有し、前記第二蓋側板部は、第二蓋外側板と第二蓋内側板と、前記第二蓋内側板の上辺部に折曲部を介して前記天板部に重なる第二蓋重合板とを有し、前記第二蓋内側板の上辺部の折曲部近傍に、第一係合受部と、前記第一係合受部から所定の距離を隔てた前記第一蓋内側板側に第二係合受部とを形成し、前記第一蓋重合板の側辺部に第一係合突部を形成し、前記第一形態においては前記第一係合突部を前記第一係合受部に係止して形態を保持し、前記第二形態においては前記第一係合突部を前記第二係合受部に係止して形態を保持することを特徴とする。【００１５】  第６の考案では、第５の考案であって、前記第一蓋内側板の側辺部に第二係合突部を形成し、前記第二蓋内側板の側辺部近傍に第三係合受部を形成し、前記第二係合突部を前記第三係合受部に係止して、前記第一形態又は前記第二形態を保持することを特徴とする。【００１６】  本考案によれば、容器本体に収容される物品の高さ寸法に応じて、蓋体の内側板に設けたストッパ部の形態を簡単に変更することができる。
【図面の簡単な説明】
【００１７】
【図１】包装容器１１の容器本体１２の展開体１の平面図。
【図２】包装容器１１の容器本体１２の組み立て完成後の斜視図。
【図３】包装容器１１の蓋体１３の展開体２の平面図。
【図４】包装容器１１の蓋体１３の組み立て完成後（第一形態）の斜視図。
【図５】包装容器１１の蓋体１３の組み立て完成後（第二形態）の斜視図。
【図６】（ａ）第一形態の蓋体１３を容器本体１２に被せた状態を示す、図４におけるＡ方向拡大端面図。（ｂ）第二形態の蓋体１３を容器本体１２に被せた状態を示す、図５におけるＡ方向拡大端面図。
【図７】本考案の他の実施例。
【考案を実施するための形態】
【００１８】  本考案の実施形態に係る包装容器１１について、図１から図６を用いて説明する。
【００１９】  以下に説明する本考案の包装容器１１は、食品等の様々な物品を収容する包装容器である。包装容器１１は、板紙を用いて作成されるものであるが、段ボールシートやプラスチックシートなど他の板状部材で形成することもできる。
【００２０】  包装容器１１は、容器本体１２と、蓋体１３とからなる蓋身式の包装容器である。
容器本体１２は図１に示す展開体１を折り曲げ組み立てて、図２に示す組立完成状態とする。
蓋体１３は、図３に示す展開体２を折り曲げ組み立てて、図４に示す第一形態の組立完成状態とするか、図５に示す第二形態の組立完成状態とするかを選択する。
【００２１】  まず、容器本体１２の構成について、図１に示す展開体１に従って説明する。図１は容器内面側を紙面手前側として示している。
【００２２】  容器本体１２の展開体１は、底板部２１の左右側に第一側板部２２を備える。第一側板部２２は、第一外側板２３、第一額縁板２４、第一内側板２５、第一重合板２６によって構成される部分である。
具体的には、底板部２１の左右側の辺部には、折曲部４１を介して第一外側板２３を連設している。第一外側板２３の折曲部４１と対向する側の辺部には、折曲部４２を介して第一額縁板２４を連設している。第一額縁板２４の折曲部４２と対向する側の辺部には、折曲部４３を介して第一内側板２５を連設している。第一内側板２５の折曲部４３と対向する側の辺部には、折曲部４４を介して第一重合板２６を連設している。また、第一内側板２５、及び第一重合板２６の前後側の端縁には、突部２７を設けている。この突部２７は、組み立て完成状態において、後述する切欠部３４に係止される部分である。
【００２３】  また、展開体１は、底板部２１の前後側に第二側板部２８を備える。第二側板部２８は、第二外側板２９、第二額縁板３０、第二内側板３１、第二重合板３２によって構成される部分である。
具体的には、底板部２１の前後側の辺部には、折曲部４５を介して第二外側板２９を連設している。第二外側板２９の折曲部４５と対向する側の辺部には、折曲部４６を介して第二額縁板３０を連設している。第二額縁板３０の折曲部４６と対向する側の辺部には、折曲部４７を介して第二内側板３１を連設している。また、第二内側板３１の折曲部４７と対向する側の辺部には、折曲部４８を介して第二重合板３２を連設している。
また、第二内側板３１の左右側の辺部には折曲部４９を介して延出板３３を連設している。延出板３３の自由端側には切り込みを設けている。延出板３３は、組み立て完成状態において、第一外側板２３と第一内側板２５との間に配置する部分である
また、折曲部４９付近には、切欠部３４を設けている。この切欠部は、前述の突部２７を係止する部分である。
【００２４】  また、展開体１は、第一外側板２３と第二外側板２９との間に折曲部５０、折曲部５１を介して連結板３５を備える。連結板３５には、底板部２１の隅部を始点として連結板３５を略二等分する折曲部５２を形成している。連結板３５は、組み立て完成状態において、第一外側板２３と第一内側板２５との間に配置する部分である。
【００２５】  次に、容器本体１２の組み立てについて、図１、図２に従って説明する。
容器本体１２は、第一側板部２２、第二側板部２８を底板部２１に対して起立し、延出板３３、連結板３５を第一外側板２３と第一内側板２５との間に配置し、第一重合板２６、第二重合板３２を底板部２１に重ね、突出部２７を切欠部３４に係止して、第一内側板２５、第二内側板３１の揺動を規制することで組み立てが完成する。
【００２６】  さらに、具体的に説明する。
まず、底板部２１と第一外側板２３との間の折曲部４１を折り曲げて、第一外側板２３と、これに連続する第一額縁板２４、第一内側板２５、第一重合板２６を底板部２１に対して起立するとともに第二外側板２９と連結板３５との間の折曲部５１を折り曲げて、連結板３５を第二外側板２９に対して起立する。
続いて、底板部２１と第二外側板２９との間の折曲部４５を折り曲げて、第二外側板２９と、これに連続する第二額縁板３０、第二内側板３１、第二重合板３２を底板部２１に対して起立するとともに、第一外側板２３と連結板３５との間の折曲部５０、連結板３５を略二等分する折曲部５２を折り曲げ、折曲部５２を介して連結板３５の表面同士を重ね合わせて第一外側板２３側に配置する。
続いて、第二外側板２９と第二額縁板３０との間の折曲部４６、第二額縁板３０と第二内側板３１との間の折曲部４７を折り曲げて、第二額縁板３０を介して第二内側板３１を第二外側板２９と対向する位置に起立する。
次に、第二内側板３１と第二重合板３２との間の折曲部４８を底板部２１の内部方向に折り曲げて、底板部２１と重ねる。
次に、第二内側板３１の側辺部の折曲部４９を折り曲げて、延出板３３を第一外側板２３側へ配置し、相対する延出板３３の自由端に形成した切り込み同士を係合する。
次に、第一外側板２３と第一額縁板２４との間の折曲部４２、第一額縁板２４と第一内側板２５との間の折曲部４３を折り曲げ、第一額縁板２４を介して第一内側板２５を第一外側板２３と対向する位置に起立し、延出板３３、及び連結板３５を第一外側板２３と第一内側板２５との間に配置し、第一内側板２５と第一重合板２６との間の折曲部４４を底板部２１の内部方向へ折り曲げて底板部２１に重ねる。そして、第一内側板２５及び第一重合板２６の側辺部に形成した突出部２７を折曲部４９付近に設けた切欠部３４に係止して第一内側板２５、第二内側板３１の揺動を規制すれば図２に示すように組み立てが完成する。
【００２７】  この状態において、各部の呼称は、第一内側板２５は折曲部４３を有する側が上辺部、折曲部４４を有する側が下辺部であり、第二内側板３１と隣接する側が側辺部である。また、第一重合板２６は第二重合板３２と隣接する側が側辺部である。また、第二内側板３１は折曲部４７を有する側が上辺部、折曲部４８を有する側が下辺部であり、延出板３３を有する側が側辺部である。また、第二重合板３２は第一重合板２６と隣接する側が側辺部である。
【００２８】  次に、蓋体１３の構成について、図３に示す展開体２に従って説明する。図３は蓋体内面側を紙面手前側として示している。
【００２９】  蓋体１３の展開体２は、天板部６１の左右側に第一蓋側板部６２を備える。第一蓋側板部６２は、第一蓋外側板６３、第一蓋内側板６４、ストッパ部６５、支持部６６、第一蓋重合板６７によって構成される。
【００３０】  具体的には、天板部６１の左右側の辺部には、折曲部８１を介して第一蓋外側板６３を連設している。第一蓋外側板６３の折曲部８１と対向する側の端縁には、折曲部８２を介して第一蓋内側板６４を連設している。
また、第一蓋内側板６４の折曲部８２と対向する端縁には、折曲部８２に平行な第一折曲部８３を設けており、第一折曲部８３を介してストッパ部６５を連設している。ストッパ部６５については後述する。
また、ストッパ部６５の第一折曲線８３と対向する端縁には、第二折曲部８４を介して支持部６６を連設している。支持部６６については後述する。
また、支持部６６の第二折曲部８４と対向する端縁には、第三折曲部８５を介して第一蓋重合板６７を連設している。
第一蓋重合板６７の前後側の端縁には、第一係合突部Ｔ１を設けている。この第一係合突部Ｔ１は、組み立て完成状態において、後述する第一係合受部Ｕ１又は第二係合受部Ｕ２に係止される部分である。第一蓋内側板６４の前後側の端縁には、第二係合突部Ｔ２を設けている。この第二係合突部Ｔ２は、組み立て完成状態において後述する第三係合受部Ｕ３に係止される部分である。
【００３１】  また、展開体２は、天板部６１の前後側に第二蓋側板部６８を備える。第二側板部６８は、第二蓋外側板６９、第二蓋内側板７０、第二蓋重合板７１によって構成される。
【００３２】  具体的には、天板部６１の前後側の辺部には、折曲部８６を介して第二蓋外側板６９を連設している。第二蓋外側板６９の折曲部８６と対向する側の辺部には、折曲部８７を介して第二蓋内側板７０を連設している。また、第二蓋内側板７０の折曲部８７と対向する側の辺部には、折曲部８８を介して第二蓋重合板７１を連設している。折曲部８８付近には、略コの字状に切り込で第一係合受部Ｕ１を形成している。また、折曲部８８の側辺部付近を切り込んで第二係合受部Ｕ２を設けている。第一係合受部Ｕ１、第二係合受部Ｕ２は、組み立て完成状態において第一係合突部Ｔ１を係止する部分として、形態に応じていずれかが選択される。
また、第二蓋内側板７０の左右側の辺部には折曲部８９を介して延出板７４を連設している。延出板７４は、組み立て完成状態において、第一蓋外側板６３と第一蓋内側板６４との間に配置する部分である。
また、第二蓋内側板７０の側辺部には、第三係合受部Ｕ３を穿っている。この第三係合受部Ｕ３は、組立完成状態において前述の第二係合突部Ｔ２を係止する部分である。
また、展開体２は、第一蓋外側板６３と第二蓋外側板６９との間に折曲部９０、折曲部９１を介して連結板７６を備える。連結板７６には、天板部６１の隅部を始点として連結板７６を略二等分する折曲部９２を形成している。連結板７６は、組み立て完成状態において、第一蓋外側板６３と第一蓋内側板６４との間に配置する部分である。
【００３３】  次に、蓋体１３の組み立てについて、図３〜図６に従って説明する。
まず、蓋体１３を第一形態に組み立てる場合について図３、図４、図６（ａ）を用いて説明する。
容器本体１２に収容する物品が容器本体の側板部の高さよりも低い寸法の場合には、第一形態を選択する。
蓋体１３は、第一蓋側板部６２、第二蓋側板部６８を天板部６１から垂下させ、延出板７４、連結板７６を第一蓋外側板６３と第一蓋内側板６４との間に配置し、第一蓋重合板６７、第二蓋重合板７１を天板部６１に重ねるとともに第一蓋重合板６７に形成した第一係合突部Ｔ１を、第一係合受部Ｕ１に係止し、第一蓋内側板６４に形成した第二係合突部Ｔ２を第三係合受部Ｕ３に係止して、第一蓋内側板６４、ストッパ部６５、第二蓋内側板７０の揺動を規制し形態を保持することで組み立てが完成する。
【００３４】  具体的に説明すると、まず、展開体２の天板部６１と第一蓋外側板６３との間の折曲部８１を折り曲げて、第一蓋外側板６３と、これに連続する第一蓋内側板６４、ストッパ部６５、支持部６６、第一蓋重合板６７を天板部６１から垂下させるとともに第二蓋外側板６９と連結板７６との間の折曲部９１を折り曲げて、連結板７６を第二蓋外側板６９から垂下させる。
続いて、天板部６１と第二蓋外側板６９との間の折曲部８６を折り曲げて、第二蓋外側板６９と、これに連続する第二蓋内側板７０、第二蓋重合板７１を天板部６１から垂下させるとともに、第一蓋外側板６３と連結板７６との間の折曲部９０、連結板７６を略二等分する折曲部９２を折り曲げ、折曲部９２を介して連結板７６の表面同士を重ね合わせて第一蓋外側板６３側に配置する。続いて、第二蓋外側板６９と第二蓋内側板７０との間の折曲部８７を折り曲げて、第二蓋内側板７０を第二蓋外側板６９と対向する位置に配置する。続いて、第二蓋内側板７０と第二蓋重合板７１との間の折曲部８８を天板部６１の内部方向に折り曲げて第二蓋重合板７１を天板部６１に重ねる。
次に、第二蓋内側板７０の側辺部の折曲部８９を折り曲げて、延出板７４を第一蓋外側板６３側へ配置する。
次に、第一蓋外側板６３と第一蓋内側板６４との間の折曲部８２を折り曲げ、第一蓋内側板６４、ストッパ部６５を第一蓋外側板６３と対向する位置に配置し、延出板７４、連結板７６を第一蓋外側板６３と第一蓋内側板６４との間に配置し、ストッパ部６５と支持部６６との間の第二折曲部８４を天板部６１の内部方向へ折り曲げて、支持部６６、及び第一蓋重合板６７を天板部６１に重ねる。第二折曲部８４は、第一蓋外側板６３の上辺部近傍（折曲部８１近傍）に形成されている。
そして、第一蓋重合板６７に形成した第一係合突部Ｔ１を第一係合受部Ｕ１に係止し、第一蓋内側板６４に形成した第二係合突部Ｔ２を第三係合受部Ｕ３に係止して、第一蓋内側板６４、ストッパ部６５、第二蓋内側板７０の揺動を規制することで組み立てが完成する。
【００３５】  この状態において、ストッパ部６５は第一蓋外側板６３と重なった状態で形態が保持されている。また、支持部６６は天板部６１と重なった状態で形態が保持されている。
そして、このように組み立てられた第一形態の蓋体１３を容器本体１２に被せると、容器本体１２の第一側板部２２の上縁である第一額縁板２４と蓋体１３の天板部２１内面に配置された支持部６６とが接し、第二側板部２８の上縁である第二額縁板３０と蓋体１３の天板部２１内面に配置された第二蓋重合板７１とが接する状態となる。図６（ａ）は、容器本体１２に物品Ｘを収容し、第一形態の蓋体１３を被せた状態を示す、図４におけるＡ方向拡大端面図である。物品Ｘは容器本体１２の側板部の高さよりも低い寸法の商品である。
【００３６】  次に、蓋体１３を第二形態に組み立てる場合について図３、図４、図６（ｂ）を用いて説明する。
容器本体１２に収容する物品が容器本体の側板部よりも高い寸法の場合には、第二形態を選択する。
蓋体１３を組み立てるには、展開体２を、第一蓋側板部６２、第二蓋側板部６８を天板部６１から垂下させ、延出板７４、連結板７６を第一蓋外側板６３と第一蓋内側板６４との間に配置する。そして、ストッパ部６５を蓋体１３の内部側へ突出させ、第一係合突部Ｔ１を第二係合受部Ｕ２に係止し、第二係合突部Ｔ２を第三係合受部Ｕ３に係止して、第一蓋内側板６４、ストッパ部６５、支持部６６、第二蓋内側板７０の揺動を規制して形態を保持することで組み立てが完成する。
【００３７】  第一形態と同様の組み立て手順については簡易に説明し、相違する手順を中心に説明する。
まず、第一形態の組み立て手順と同様に、天板部６１から第一蓋外側板６３、第一蓋内側板６４、ストッパ部６５、支持部６６、第一蓋重合板６７を垂下させるとともに、連結板７６を第二蓋外側板６９から垂下させる。続いて、天板部６１から第二蓋外側板６９、第二蓋内側板７０、第二蓋重合板７１を垂下させるとともに、連結板７６を第一蓋外側板６３から垂下させ、連結板７６を折曲部９２で折り曲げ重ね合わせて、第一蓋外側板６３側に配置する。続いて、第二蓋内側板７０を第二蓋外側板６９と対向する位置に配置する。次に、第二蓋重合板７１を天板部６１に重ねる。また、延出板７４を第一蓋外側板６３側へ配置する。
次に、第一蓋内側板６４を第一蓋外側板６３と対向する位置に配置し、延出板７４、及び連結板７６を第一蓋外側板６３と第一蓋内側板６４との間に配置する。
【００３８】  第二形態においては、ストッパ部６５が蓋体内部方面に突出するように組み立てられる。
まず、第一蓋内側板６４の端縁に形成した第一折曲部８３を折り曲げてストッパ部６５を蓋体１３の内部方向へ突出させ、第二折曲部８４を折り曲げて、支持部６６が第一蓋外側板６３の上辺部である折曲部８１付近に突き当たるように配置し、第三折曲部８５を折り曲げて、第一蓋重合板６７が天板部６１に重なるように配置する。この状態において、ストッパ部６５は蓋体１３の内部方向に突出し、支持部６６によって支持されている。
第二折曲部８４は、ストッパ部の突出先端部となる。
続いて、第一係合突部Ｔ１を第二係合受部Ｕ２に係止し、第二係合突部Ｔ２を第三係合受部Ｕ３に係止して、第一蓋内側板６４、ストッパ部６５、支持部６６、第二蓋内側板７０の揺動を規制して形態を保持することで組み立てが完成する。
【００３９】  そして、このように組み立てられた第二形態の蓋体１３を容器本体１２に被せると、容器本体１２の第一側板部２２の上縁である第一額縁板２４が、ストッパ部６５と接する状態となる。図６（ｂ）は、容器本体１２に物品Ｙを収容し、第二形態の蓋体１３を被せた状態を示す、図５におけるＡ方向拡大端面図である。物品Ｙは容器本体１２の側板部の高さよりも高い寸法の商品である。
【００４０】  なお、各部の呼称は、第一形態、第二形態のいずれにおいても、第一蓋外側板６３は折曲部８１を有する側が上辺部である。第一蓋内側板６４は第二蓋内側板７０と隣接する側が側辺部である。また、第一蓋重合板６７は第二蓋重合板７１と隣接する側が側辺部である。また、第二蓋内側板７０は折曲部８８を有する側が上辺部、折曲部８７を有する側が下辺部であり、延出板７４を有する側が側辺部である。また、第二蓋重合板７１は第一蓋重合板６７と隣接する側が側辺部である。
【００４１】  上記のように、本考案の包装容器１１は、底板部２１の周囲に側板部を連設し、上方が開口する容器本体１２と、天板部２１の周囲に蓋側板部を連設し、容器本体１２に被せる蓋体１３と、からなる包装容器１１であって、蓋側板部は相対向する第一蓋側板部６２を有し、第一蓋側板部６２は、第一蓋外側板６３と第一蓋内側板６４と、第一折曲部８３を介してストッパ部６５とを有し、蓋体１３は、ストッパ部６５が第一蓋外側板６３に重なる第一形態と、第一折曲部８３からストッパ部６５が蓋体内部方向に突出する第二形態とのいずれかの形態を選択可能に形成し、容器本体１２に第二形態の蓋体１３を被せた状態においては、ストッパ部６５と容器本体１２の側板部の上端である額縁板２４とが当接するものである。
【００４２】  このため、容器本体に収容される物品の高さ寸法に応じて、蓋体１３のストッパ部６５の形態を簡単に変更することができる。すなわち、図６（ａ）に示すように、収容する物品の高さが物品Ｘのように本体側板部の高さよりも低い寸法の場合には、蓋体１３を第一形態に組み立てれば容器本体１１の上部に不必要な空間がなく収めることができ、また、図６（ｂ）に示すように、収容する物品の高さが物品Ｙのように本体側板部の高さよりも高い寸法の場合には、第二形態に組み立てれば、包装容器１１の上部にストッパ部６５から天板部６１までの空間を設けて物品を収容することができる。
【００４３】  また、本考案の包装容器１１においては、ストッパ部６５の第一折曲部８３と対向する端縁に第二折曲部８４を形成し、第二折曲部８４を介して支持部６６を連設し、第一形態においては、ストッパ部６５が第一蓋外側板６３と重なるように配置し、第二形態においては、第一折曲部８３を折り曲げてストッパ部６５が蓋体内部方向に突出するように配置し、第二折曲部８４を折り曲げて支持部６６が第一蓋外側板６３の上辺部に突き当たるように配置するものである。
【００４４】  このため、上記の効果に加えて、第二形態とする場合にストッパ部６５は支持部６６によって蓋体内部方向へ突出した状態が強固に保持される。また、本実施形態において保持部６６は第一蓋外側板６３の上辺部に突き当たるように配置されているので、容器本体１２に第二形態の蓋体１３を被せた状態で圧力を受けても支持部６６が変形しにくい。
【００４５】  また、本考案の包装容器１１において、蓋体１３を第一形態とした状態において第一蓋外側板６３の上辺部（折曲部８１）に近接する位置に、第二折曲部８４を形成するものである。
【００４６】  このため、上記の効果に加えて、第一形態においては折曲部８４を折り曲げて支持部６６を天板部２１に重ねることができ、第二形態においては折曲部８４を折り曲げてストッパ部６５の突出先端部とすることができ、簡単な構造とすることができる。
【００４７】  また、本考案の包装容器１１において、支持部６６の第二折曲部８４と対向する端縁に第三折曲部８５を介して第一蓋重合板６７を連設するものである。
【００４８】  このため、上記の効果に加えて、第一蓋重合板６７を天板部２１に重ねて、組み立てを強固に保持することができる。
【００４９】  また、本考案の包装容器１１において、蓋側板部は、第一蓋側板部６２に隣接する第二蓋側板部６８を有し、第二蓋側板部６８は、第二蓋外側板６９と第二蓋内側板７０と、第二蓋内側板７０の上辺部に折曲部８８を介して天板部６１に重なる第二蓋重合板７１とを有し、第二蓋内側板７０の上辺部の折曲部８８近傍に、第一係合受部Ｕ１と、第一係合受部Ｕ１から所定の距離を隔てた第一蓋内側板６４側である側辺部に、第二係合受部Ｕ２とを形成し、第一蓋重合板６７の側辺部に第一係合突部Ｔ１を形成し、第一形態においては第一係合突部Ｔ１を第一係合受部Ｕ１に係止して形態を保持し、第二形態においては第一係合突部Ｔ１を第二係合受部Ｕ２に係止して形態を保持するものである。
【００５０】  このため、上記の効果に加えて、選択する組み立て形態（第一形態、第二形態）を確実に保持することができる。
【００５１】  また、本考案の包装容器１１において、第一蓋内側板６４の側辺部に第二係合突部Ｔ２を形成し、第二蓋内側板７０の側辺部近傍に第三係合受部Ｕ３を形成し、第二係合突部Ｔ２を第三係合受部Ｕ３に係止して、第一形態又は前記第二形態を保持するものである。
【００５２】  このため、上記の効果に加えて、第一蓋内側板６４、第二蓋内側板７０の揺動をより確実に規制することができる。
【００５３】  以上、本考案の実施形態である包装容器１１について説明したが、本考案の技術的範囲は、この実施形態に限定されるものではない。
【００５４】  例えば、本実施形態において保持部６６は第一蓋外側板６３の上辺部（折曲部８１）に突き当たるように配置されているが、天板部６１に突き当たるように構成してもよい。
【００５５】  また、例えば、第一折曲部、第二折曲部となる複数の折曲部を設けてもよい。この場合、収容する物品の高さに応じた位置の折曲部を第一折曲部として選択して折り曲げ、ストッパ部を蓋体内部方向に突出させることができる。
図７（ａ）は、第一折曲部、第二折曲部とすべき複数の折曲部Ｌ１、Ｌ２、Ｌ３を有する蓋体１１３の第一形態の要部であり、折曲部Ｌ１を介した領域Ｒ１、折曲部Ｌ２を介した領域Ｒ２、Ｌ３を介した領域Ｒ３を有する。領域Ｒ１は折曲部Ｌ１が第一折曲部として選択された場合に、ストッパ部を構成する部分である。また、領域Ｒ２は折曲部Ｌ２が第一折曲部として選択された場合にストッパ部となる部分である。蓋体１１３の第一形態においては、領域Ｒ１、領域Ｒ２はいずれも第一蓋外側板６３に重ねられる。
図７（ｂ）、図７（ｃ）は蓋体１１３の第二形態の要部である。
図７（ｂ）の場合においては、折曲部Ｌ１を第一折曲部１８３ａとして選択して折り曲げている。この場合、領域Ｒ１がストッパ部１６５ａとして蓋体内部方向に突出する。また、ストッパ部１６５ａの前記第一折曲部１８３ａと対向する端縁の折曲部Ｌ２を第二折曲部１８４ａとして選択して折り曲げている。このとき、第二折曲部１８４ａ（Ｌ２）を介した領域Ｒ２、及び領域Ｒ３は支持部１６６として、第一蓋外側板の上辺部に突き当てられる。
図７（ｃ）の場合においては折曲部Ｌ２を第一折曲部１８３ｂとして選択して折り曲げている。この場合、領域Ｒ２がストッパ部１６５ｂとして蓋体内部方向に突出する。また、ストッパ部１６５ｂの第一折曲部１８３ｂと対向する端縁の折曲部Ｌ３を第二折曲部１８４ｂとして選択して折り曲げている。このとき、第二折曲部１８４ｂを介した領域Ｒ３が支持部１６６として第一蓋外側板の上辺部に突き当てられる。
本実施例においては、上記のように蓋体１１３の第二形態におけるストッパ部の位置を選択することができ、包装容器内の空間の大きさを選択することができる。
【符号の説明】
【００５６】１      展開体
２      展開体
１１    包装容器
１２    容器本体
１３    蓋体
２１    底部
２２    第一側板部
２３    第一外側板
２４    第一額縁板
２５    第一内側板
２６    第一重合板
２７    突部
２８    第二側板部
２９    第二外側板
３０    第二額縁板
３１    第二内側板
３２    第一重合板
３３    延出板
３４    切欠部
３５    連結板
４１、４２、４３、４４、４５、４６、４７、４８、４９、５０、５１、５２  折曲部
６１    天板部
６２    第一蓋側板部
６３    第一外蓋側板
６４    第一内蓋側板
６５    ストッパ部
６６    支持部
６７    第一蓋重合板
６８    第二蓋側板部
６９    第二蓋外側板
７０    第二内蓋側板
７１    第二蓋重合板
７４    延出板
７６    連結板
８１、８２  折曲部
８３    第一折曲部
８４    第二折曲部
８５    第三折曲部
８６、８７、８８、８９、９０、９１、９２  折曲部
Ｔ１    第一係合突部
Ｔ２    第二係合突部
Ｕ１    第一係合受部
Ｕ２    第二係合受部
Ｕ３    第三係合受部
Ｘ      収容物品
Ｙ      収容物品
１１３  蓋体
１６２  第一蓋側板部
１６４  第一蓋内側板
Ｌ１、Ｌ２、Ｌ３  折曲部
Ｒ１、Ｒ２、Ｒ３  領域
１６５ａ、１６５ｂ  ストッパ部
１６６  支持部
１８３ａ、１８３ｂ  第一折曲部
１８４ａ、１８４ｂ  第二折曲部
【図１】
0003220875.tif 000003
【図２】
0003220875.tif 000004
【図３】
0003220875.tif 000005
【図４】
0003220875.tif 000006
【図５】
0003220875.tif 000007
【図６】
0003220875.tif 000008
【図７】
0003220875.tif 000009